(57)【要約】      （修正有）【課題】使用状況に応じたより高い利便性を有するディスプレイボックスを提供する。【解決手段】ディスプレイボックス１は、上面が開口した箱体として構成され、長手方向の長さを可変とされている。長手方向の長さは、箱体本体部１００の両端に配置されている１対の移動壁部材を長手方向に独立して摺動させることで変化させることができる。また、第１摺動壁部２２０の先端及び第３摺動壁部３２０の先端、第２摺動壁部２３０の先端及び第４摺動壁部３３０の先端、第１部分底面部２４０の先端及び第２部分底面部３４０の先端が、それぞれ凸状とされている。そのため、ディスプレイボックス１の容積を変化させる際に、すれ違う部材同士が互いに当接して、部材同士の摺動を妨げる事態を低減できる。【選択図】図２
0003179608.tif 000002
【実用新案登録請求の範囲】
【請求項１】
略方形の底面部と、
前記底面部の１辺から起立し、内壁と外壁とを備える第１側壁部と、
前記底面部において、前記第１側壁部が設置された辺と対向する１辺から起立し、内壁と外壁とを備える第２側壁部と、
を備える箱体本体部と、
前記第１側壁部の内壁と外壁との間に摺動可能に保持され、摺動方向における第１の方向から前記第１側壁部外部に延在する第１摺動壁部と、
前記第２側壁部の内壁と外壁との間に摺動可能に保持され、摺動方向における第１の方向から前記第２側壁部外部に延在する第２摺動壁部と、
前記底面部の一部と重なる第１部分底面部を備え、前記第１摺動壁部と前記第２摺動壁部とに挟まれた第３側壁部と、
を備える第１摺動部材と、
前記第１側壁部の内壁と外壁との間に摺動可能に保持され、摺動方向における第２の方向から前記第１側壁部外部に延在する第３摺動壁部と、
前記第２側壁部の内壁と外壁との間に摺動可能に保持され、摺動方向における第２の方向から前記第２側壁部外部に延在する第４摺動壁部と、
前記底面部の一部と重なる第２部分底面部を備え、前記第３摺動壁部と前記第４摺動壁部とに挟まれた第４側壁部と、
を備える第２摺動部材と、を備え、
前記第１摺動壁部の先端部及び前記第３摺動壁部の先端部の少なくとも一方と、前記第２摺動壁部の先端部及び前記第２摺動壁部の先端部の少なくとも一方と、前記第１部分底面部の先端部及び第２部分底面部の先端部の少なくとも一方とは、凸状となっていることを特徴とするディスプレイボックス。
【請求項２】
前記第１摺動壁部の先端部と前記第３摺動壁部の先端部とは、凸状の頂点の高さ位置が互いに異なり、前記第２摺動壁部の先端部と前記第３摺動壁部の先端部とは、凸状の頂点の高さ位置が互いに異なっていることを特徴とする請求項１に記載のディスプレイボックス。
【請求項３】
前記第３側壁部と、前記第４側壁部と、前記底面部とは、幅方向における中央に折り目を有し、前記折り目で折り畳み可能であることを特徴とする請求項１または２に記載のディスプレイボックス。
【考案の詳細な説明】
【技術分野】
【０００１】
本考案は、展示する商品等を収容するディスプレイボックスに関する。
【背景技術】
【０００２】
従来、展示する商品等を収容して店頭等に置かれるディスプレイボックスが知られている。
例えば、コンビニエンスストアのアイスクリーム売場では、冷凍庫内に置かれ、箱体の内面及び外面を化粧面とされたディスプレイボックスが用いられている。このようなディスプレイボックスでは、箱体の内面及び外面に特定の商品を宣伝するための化粧面が付され、その特定の商品がディスプレイボックスに収容された状態で販売される。
このようなディスプレイボックスに関する技術は、特許文献１に記載されている。
特許文献１に記載された技術では、扁平に折り畳まれた状態で保管、移送が行え、使用時及び収納時に、組み立てや分解が容易なディスプレイボックスを提供することとしている。
【先行技術文献】
【特許文献】
【０００３】
【特許文献１】特開２００４−２５６１５３号公報
【考案の概要】
【考案が解決しようとする課題】
【０００４】
しかしながら、特許文献１に記載された技術では、組み立てられたディスプレイボックスの容量は固定的なものであり、実際に商品が販売される店頭の事情に鑑みれば、ディスプレイボックスが設置される場所の広さや、収容される商品の量が異なるところ、利便性が高いものではなかった。
即ち、従来のディスプレイボックスは、使用状況に応じた高い利便性を有するものではなかった。
【０００５】
本考案の課題は、使用状況に応じたより高い利便性を有するディスプレイボックスを提供することである。
【課題を解決するための手段】
【０００６】
（１）本考案の一態様に係るディスプレイボックスは、
略方形の底面部と、
前記底面部の１辺から起立し、内壁と外壁とを備える第１側壁部と、
前記底面部において、前記第１側壁部が設置された辺と対向する１辺から起立し、内壁と外壁とを備える第２側壁部と、
を備える箱体本体部と、
前記第１側壁部の内壁と外壁との間に摺動可能に保持され、摺動方向における第１の方向から前記第１側壁部外部に延在する第１摺動壁部と、
前記第２側壁部の内壁と外壁との間に摺動可能に保持され、摺動方向における第１の方向から前記第２側壁部外部に延在する第２摺動壁部と、
前記底面部の一部と重なる第１部分底面部を備え、前記第１摺動壁部と前記第２摺動壁部とに挟まれた第３側壁部と、
を備える第１摺動部材と、
前記第１側壁部の内壁と外壁との間に摺動可能に保持され、摺動方向における第２の方向から前記第１側壁部外部に延在する第３摺動壁部と、
前記第２側壁部の内壁と外壁との間に摺動可能に保持され、摺動方向における第２の方向から前記第２側壁部外部に延在する第４摺動壁部と、
前記底面部の一部と重なる第２部分底面部を備え、前記第３摺動壁部と前記第４摺動壁部とに挟まれた第４側壁部と、
を備える第２摺動部材と、を備え、
前記第１摺動壁部の先端部及び前記第３摺動壁部の先端部の少なくとも一方と、前記第２摺動壁部の先端部及び前記第２摺動壁部の先端部の少なくとも一方と、前記第１部分底面部の先端部及び第２部分底面部の先端部の少なくとも一方とは、凸状となっていることを特徴とする。
【考案の効果】
【０００７】
本考案によれば、使用状況に応じたより高い利便性を有するディスプレイボックスを提供することができる。
【図面の簡単な説明】
【０００８】
【図１】本考案に係るディスプレイボックス１を模式的に示す外観斜視図である。
【図２】ディスプレイボックス１の使用状態を示す模式図である。
【図３】ディスプレイボックス１を折り畳んだ状態（非使用状態）を示す図である。
【図４】ディスプレイボックス１を構成する部材を示す展開図である。
【図５】ディスプレイボックス１の組み立て工程（ステップＳ２）を示す図である。
【図６】ディスプレイボックス１の組み立て工程（ステップＳ３）を示す図である。
【図７】ディスプレイボックス１の組み立て工程（ステップＳ４）を示す図である。
【図８】ディスプレイボックス１の組み立て工程（ステップＳ５）を示す図である。
【考案を実施するための形態】
【０００９】
以下、本考案の実施形態について、図面を用いて説明する。
（第１実施形態）
（ディスプレイボックス１の構成）
（使用状態の構成）
図１は、本考案に係るディスプレイボックス１を模式的に示す外観斜視図である。また、図２は、ディスプレイボックス１の使用状態を示す模式図であり、図２（ａ）は長手方向に伸張した状態、図２（ｂ）は長手方向に縮小した状態を示している。なお、以下に示す図においては、ディスプレイボックス１の各部材の構成を説明するため、適宜、内部を透視し、破線によって表している。また、ディスプレイボックス１が有する構成のうち、一部については説明の便宜のため、適宜、図示を省略している。
【００１０】
図１及び図２に示すように、ディスプレイボックス１は、上面が開口した箱体として構成され、長手方向の長さを可変とされている。長手方向の長さは、箱体本体部の両端に配置されている１対の移動壁部材（第１及び第２摺動部材）を長手方向に独立して摺動させることで変化させることができる。
具体的には、ディスプレイボックス１は、箱体本体部１００と、第１の移動壁部材（第１摺動部材）２００と、第２の移動壁部材（第２摺動部材）３００とを含んで構成される。これら箱体本体部１００、第１の移動壁部材２００及び第２の移動壁部材３００は、表面にプラスティックフィルムを貼付したボール紙等の紙製あるいはプラスティック製等の耐水性を有する素材によって構成されている。
【００１１】
箱体本体部１００は、底面部１１０と、第１側壁部１２０と、第２側壁部１３０とを含んで構成される。
底面部１１０は、長方形状に構成され、箱体本体部１００の底板を構成する。また、底面部１１０の幅方向中央には、長手方向に沿う折り目（谷折）が付されている。
【００１２】
第１側壁部１２０は、底面部１１０の長辺の一方に繋がり、この長辺から起立した側壁を構成している。また、第１側壁部１２０は、箱体本体部１００の内側及び外側に配置される内壁１２１と外壁１２２とを有しており、第１側壁部１２０の頂部、即ち、内壁１２１の頂部と外壁１２２の頂部とを繋ぐ上面部１２３には、第１の移動壁部材２００の係合凸部２２１及び第２の移動壁部材３００の係合凸部３２１が突出した状態で摺動する貫通穴１２３ａが形成されている。なお、第１側壁部１２０の底部、即ち、内壁１２１の底部と外壁１２２の底部とを繋ぐ部分には、上面部１２３と対向する下面部１２４が形成されている。さらに、内壁１２１及び外壁１２２には、これらを貫通するスリット１２１ａ〜１２１ｈ及びスリット１２２ａ〜１２２ｈ（不図示）が形成されている。スリット１２１ａ〜１２１ｈとスリット１２２ａ〜１２２ｈとは、箱体本体部１００を外部から視認した場合に、それぞれ重なり合う位置に形成されている。
【００１３】
第２側壁部１３０は、底面部１１０の長辺の他方に繋がり、この長辺から起立した側壁を構成している。また、第２側壁部１３０は、箱体本体部１００の内側及び外側に配置される内壁１３１と外壁１３２とを有しており、第２側壁部１３０の頂部、即ち、内壁１３１の頂部と外壁１３２の頂部とを繋ぐ上面部１３３には、第１の移動壁部材２００の係合凸部２３１及び第２の移動壁部材３００の係合凸部３３１が突出した状態で摺動する貫通穴１３３ａが形成されている。なお、第２側壁部１３０の底部、即ち、内壁１３１の底部と外壁１３２の底部とを繋ぐ部分には、上面部１３３と対向する下面部１３４が形成されている。さらに、内壁１３１及び外壁１３２には、これらを貫通するスリット１３１ａ〜１３１ｈ（不図示）及びスリット１３２ａ〜１３２ｈが形成されている。スリット１３１ａ〜１３１ｈとスリット１３２ａ〜１３２ｈとは、箱体本体部１００を外部から視認した場合に、それぞれ重なり合う位置に形成されている。
【００１４】
第１の移動壁部材２００は、第３側壁部２１０と、第１摺動壁部２２０と、第２摺動壁部２３０と、第１部分底面部２４０とを含んで構成される。
第３側壁部２１０は、底面部１１０の短辺の一方の側に配置される側壁を構成している。この第３側壁部２１０は、内壁面２１１と外壁面２１２とを構成する２枚の部材が半面（第１摺動壁部２２０に近い側の半面）で貼り合わされた構造を有している。そして、第３側壁部２１０は、箱体本体部１００の幅方向中央、即ち、内壁面２１１と外壁面２１２とが貼り合わされている部分の境界に、高さ方向に沿う折り目（箱体本体部１００の内側に凸となる折り目）が付されている。さらに、第３側壁部２１０の内壁面２１１及び外壁面２１２には、これらを貫通するスリット２１１ａ〜２１１ｆ（不図示）及びスリット２１２ａ〜２１２ｆが形成されている。スリット２１１ａ〜２１１ｆとスリット２１２ａ〜２１２ｆとは、ディスプレイボックス１が組み立てられた状態（使用状態）において、第３側壁部２１０を外部から視認した場合に、それぞれ重なり合う位置に形成されている。また、第３側壁部２１０の内壁面２１１の先端（第２摺動壁部２３０側の端部）には、第２摺動壁部２３０の係合穴２３２，２３３に嵌め込まれる爪部２１３，２１４が設置されている。
【００１５】
第１摺動壁部２２０は、第１側壁部１２０の内壁１２１と外壁１２２とに摺動可能に挟まれており、第１側壁部１２０から第３側壁部２１０側に延在する側壁を構成している。第１摺動壁部２２０と第３側壁部２１０の内壁面２１１とは内壁面２１１の一方の側辺において一体に繋がっている。また、第１摺動壁部２２０の先端側（第１側壁部１２０側）の頂部には、貫通穴１２３ａ内を摺動し、貫通穴１２３ａの端部と当接することにより第１摺動壁部２２０の摺動範囲を規制する係合凸部２２１が設置されている。さらに、第１摺動壁部２２０の先端側は、高さ方向の中央よりも高い高さＱを頂点とする凸状に形成されている。
【００１６】
第２摺動壁部２３０は、第２側壁部１３０の内壁１３１と外壁１３２とに摺動可能に挟まれており、第２側壁部１３０から第３側壁部２１０側に延在する側壁を構成している。第２摺動壁部２３０と第３側壁部２１０の外壁面２１２とは外壁面２１２の一方の側辺において一体に繋がっている。また、第２摺動壁部２３０の先端側（第２側壁部１３０側）の頂部には、貫通穴１３３ａ内を摺動し、貫通穴１３３ａの端部と当接することにより第２摺動壁部２３０の摺動範囲を規制する係合凸部２３１が設置されている。さらに、第２摺動壁部２３０の先端側は、高さ方向の中央よりも低い高さＰを頂点とする凸状に形成されている。なお、第２摺動壁部２３０の外壁面２１２との境界位置には、内壁面２１１の先端に設置された爪部２１３，２１４が嵌め込まれる係合穴２３２，２３３が形成されている。
【００１７】
第１部分底面部２４０は、底面部１１０における第３側壁部２１０側の一部に重なる大きさの底板を構成し、第３側壁部２１０の内壁面２１１とは、内壁面２１１の底辺において一体に繋がっている。第１部分底面部２４０の先端側は、幅方向の中央を頂点とする凸状に形成されている。
【００１８】
第２の移動壁部材３００は、第４側壁部３１０と、第３摺動壁部３２０と、第４摺動壁部３３０と、第２部分底面部３４０とを含んで構成される。
第４側壁部３１０は、底面部１１０の短辺の他方の側に配置される側壁を構成している。この第４側壁部３１０は、内壁面３１１と外壁面３１２とを構成する２枚の部材が半面（第３摺動壁部３２０に近い側の半面）で貼り合わされた構造を有している。そして、第４側壁部３１０は、箱体本体部１００の幅方向中央、即ち、内壁面３１１と外壁面３１２とが貼り合わされている部分の境界に、高さ方向に沿う折り目（箱体本体部１００の内側に凸となる折り目）が付されている。さらに、第４側壁部３１０の内壁面３１１及び外壁面３１２には、これらを貫通するスリット３１１ａ〜３１１ｆ及びスリット３１２ａ〜３１２ｆ（不図示）が形成されている。スリット３１１ａ〜３１１ｆとスリット３１２ａ〜３１２ｆとは、ディスプレイボックス１が組み立てられた状態（使用状態）において、第４側壁部３１０を外部から視認した場合に、それぞれ重なり合う位置に形成されている。また、第４側壁部３１０の内壁面３１１の先端（第４摺動壁部３３０側の端部）には、第４摺動壁部３３０の係合穴３３２，３３３に嵌め込まれる爪部３１３，３１４が設置されている。
【００１９】
第３摺動壁部３２０は、第１側壁部１２０の内壁１２１と外壁１２２とに摺動可能に挟まれており、第１側壁部１２０から第４側壁部３１０側に延在する側壁を構成している。第３摺動壁部３２０と第４側壁部３１０の内壁面３１１とは内壁面３１１の一方の側辺において一体に繋がっている。また、第３摺動壁部３２０の先端側（第１側壁部１２０側）の頂部には、貫通穴１２３ａ内を摺動し、貫通穴１２３ａの端部と当接することにより第３摺動壁部３２０の摺動範囲を規制する係合凸部３２１が設置されている。さらに、第３摺動壁部３２０の先端側は、高さ方向の中央よりも低い高さＰを頂点とする凸状に形成されている。
【００２０】
第４摺動壁部３３０は、第２側壁部１３０の内壁１３１と外壁１３２とに摺動可能に挟まれており、第２側壁部１３０から第４側壁部３１０側に延在する側壁を構成している。第４摺動壁部３３０と第４側壁部３１０の外壁面３１２とは外壁面３１２の一方の側辺において一体に繋がっている。また、第４摺動壁部３３０の先端側（第２側壁部１３０側）の頂部には、貫通穴１３３ａ内を摺動し、貫通穴１３３ａの端部と当接することにより第４摺動壁部３３０の摺動範囲を規制する係合凸部３３１が設置されている。さらに、第４摺動壁部３３０の先端側は、高さ方向の中央よりも高い高さＱを頂点とする凸状に形成されている。なお、第４摺動壁部３３０の外壁面３１２との境界位置には、内壁面３１１の先端に設置された爪部３１３，３１４が嵌め込まれる係合穴３３２，３３３が形成されている。
【００２１】
第２部分底面部３４０は、底面部１１０における第４側壁部３１０側の一部に重なる大きさの底板を構成し、第４側壁部３１０の内壁面３１１とは、内壁面３１１の底辺において一体に繋がっている。第２部分底面部３４０の先端側は、幅方向の中央を頂点とする凸状に形成されている。
【００２２】
（非使用状態の構成）
図３は、ディスプレイボックス１を折り畳んだ状態（非使用状態）を示す図である。
図３に示す状態は、第１の移動壁部材２００及び第２の移動壁部材３００を箱体本体部１００側に摺動させて長手方向に縮小した後（図２（ｂ）参照）、第１部分底面部２４０が第３側壁部２１０の内壁面２１１側に折り返され、第２部分底面部３４０が第４側壁部３１０の内壁面３１１側に折り返されている。また、第３側壁部２１０の爪部２１３，２１４が係合穴２３２，２３３から外され、第３側壁部２１０の外壁面２１２が折り目によって折り畳まれている。同様に、第４側壁部３１０の爪部３１３，３１４が係合穴３３２，３３３から外され、第４側壁部３１０の外壁面３１２が折り目によって折り畳まれている。さらに、箱体本体部１００の底面部１１０は折り目によって折り畳まれている。
この結果、ディスプレイボックス１は、おおよそ、第１側壁部１２０の面積と底面部１１０の半分の面積とを加えた範囲に折り畳まれて収容された状態となる。また、その厚みは、第３側壁部２１０の幅に比べて数分の１程度に圧縮された状態となる。
（ディスプレイボックス１の製造方法）
【００２３】
図４は、ディスプレイボックス１を構成する部材を示す展開図である。
また、図５〜図８は、ディスプレイボックス１の組み立て工程を示す図である。
図４に示すように、ディスプレイボックス１は、箱体本体部材Ｄ１と、第３側壁部材Ｄ２と、第３側壁補助部材Ｄ３と、第４側壁部材Ｄ４と、第４側壁補助部材Ｄ５の５つの部材が組み合わされて構成される。
【００２４】
図４において、箱体本体部材Ｄ１は、略長方形の部材によって構成され、一端側から他端側にかけて、のりしろｄ１、下面部１２４、内壁１２１、上面部１２３、外壁１２２、底面部１１０、外壁１３２、上面部１３３、内壁１３１、下面部１３４、のりしろｄ２の順に配置されている。これら各部の境界は、図４において、全て谷折の折り目が付されている。また、外壁１２２の底面部１１０側端部には、のりしろｄ１の面積と対応するのりしろｄ３が配置されている。同様に、外壁１３２の底面部１１０側端部には、のりしろｄ２の面積と対応するのりしろｄ４が配置されている。
第３側壁部材Ｄ２は、略Ｌ字型の部材によって構成され、第３側壁部２１０の内壁面２１１、内壁面２１１の底辺側に配置された第１部分底面部２４０、内壁面２１１の一方の側辺側に配置された第１摺動壁部２２０を備えている。これら各部の境界は、図４において、全て谷折の折り目が付されている。また、内壁面２１１の第１摺動壁部２２０が配置された側辺側の半面は、外壁面２１２側（図４における紙面奥側）がのりしろｄ５となっている。
【００２５】
第３側壁補助部材Ｄ３は、略長方形の部材によって構成され、第３側壁部２１０の外壁面２１２、外壁面２１２の一方の側辺側に配置された第２摺動壁部２３０を備えている。これらの境界は、図４において、谷折の折り目が付されている。なお、外壁面２１２の幅方向中央（底辺における中央）には、図４において、高さ方向（側辺の方向）に沿う山折の折り目が付されている。また、外壁面２１２の第２摺動壁部２３０が配置された側辺と逆側の半面は、内壁面２１１側（図４における紙面手前側）がのりしろｄ６となっている。
【００２６】
第４側壁部材Ｄ４は、略Ｌ字型の部材によって構成され、第４側壁部３１０の内壁面３１１、内壁面３１１の底辺側に配置された第２部分底面部３４０、内壁面３１１の一方の側辺側に配置された第３摺動壁部３２０を備えている。これら各部の境界は、図４において、全て谷折の折り目が付されている。また、内壁面３１１の第３摺動壁部３２０が配置された側辺側の半面は、外壁面３１２側（図４における紙面奥側）がのりしろｄ７となっている。
第４側壁補助部材Ｄ５は、略長方形の部材によって構成され、第４側壁部３１０の外壁面３１２、外壁面３１２の一方の側辺側に配置された第４摺動壁部３３０を備えている。これらの境界は、図４において、谷折の折り目が付されている。なお、外壁面３１２の幅方向中央（底辺における中央）には、図４において、高さ方向（側辺の方向）に沿う山折の折り目が付されている。また、外壁面３１２の第４摺動壁部３３０が配置された側辺と逆側の半面は、内壁面３１１側（図４における紙面手前側）がのりしろｄ８となっている。
【００２７】
ディスプレイボックス１を製造する場合、図４に示すように、上記５つの部材が型抜き等により切り出される（ステップＳ１）。
次に、図５に示すように、第３側壁部材Ｄ２ののりしろｄ５と第３側壁補助部材Ｄ３ののりしろｄ６とが接着剤によって接着される。これにより、第１の移動壁部材２００が構成される。同様に、図５に示すように、第４側壁部材Ｄ４ののりしろｄ７と第４側壁補助部材Ｄ５ののりしろｄ８とが接着剤によって接着される（ステップＳ２）。これにより、第２の移動壁部材３００が構成される。
次に、図６に示すように、第１の移動壁部材２００及び第２の移動壁部材３００における各折り目を折り曲げる（ステップＳ３）。なお、ステップＳ２とステップＳ３とは順序を置換することも可能である。
【００２８】
次に、図７に示すように、箱体本体部材Ｄ１における各折り目を折り曲げる（ステップＳ４）。これにより、箱体本体部１００が構成される。
次に、図８に示すように、第１の移動壁部材２００における第１摺動壁部２２０の先端部分及び第２の移動壁部材３００における第３摺動壁部３２０の先端部分を内壁１２１と外壁１２２との間に挟み込みながら、のりしろｄ１とのりしろｄ３とが接着剤により接着される。同様に、第１の移動壁部材２００における第２摺動壁部２３０の先端部分及び第２の移動壁部材３００における第４摺動壁部３３０の先端部分を内壁１３１と外壁１３２との間に挟み込みながら、のりしろｄ２とのりしろｄ４とが接着剤により接着される（ステップＳ５）。なお、ステップＳ５においては、第１摺動壁部２２０の係合凸部２２１及び第３摺動壁部３２０の係合凸部３２１が、上面部１２３の貫通穴１２３ａから突出した状態とされる。同様に、第３摺動壁部３２０の係合凸部２３１及び第４摺動壁部３３０の係合凸部３３１が、上面部１３３の貫通穴１３３ａから突出した状態とされる。
これにより、箱体本体部１００に第１の移動壁部材２００及び第２の移動壁部材３００が摺動可能に保持された状態となる。
【００２９】
そして、底面部１１０及び外壁面２１２，３１２の折り目を伸ばし、爪部２１３，２１４を係合穴２３２，２３３に嵌め込み、爪部３１３，３１４を係合穴３３２，３３３に嵌め込む（ステップＳ６）。
さらに、第１部分底面部２４０及び第２部分底面部３４０が底面部１１０に沿うように折り目を伸ばす（ステップＳ７）。
これにより、ディスプレイボックス１が使用状態として完成する。
【００３０】
ディスプレイボックス１が使用状態として完成した後、第１の移動壁部材２００を箱体本体部１００に対して長手方向に摺動させたり、第２の移動壁部材３００を箱体本体部１００に対して長手方向に摺動させたりすることで、ディスプレイボックス１の容積を変化させることができる。
また、輸送時や保管時等、ディスプレイボックス１を使用しない場合には、第１部分底面部２４０及び第２部分底面部３４０を内壁面２１１，３１１側に折り返し、爪部２１３，２１４を係合穴２３２，２３３から外し、爪部３１３，３１４を係合穴３３２，３３３から外す。そして、底面部１１０及び外壁面２１２，３１２の折り目を折り、第１の移動壁部材２００及び第２の移動壁部材３００を長手方向に沿って箱体本体部１００側に摺動させることにより、ディスプレイボックス１が折り畳まれた状態（非使用状態）となる。
【００３１】
ここで、ディスプレイボックス１の容積を変化させたり、非使用状態とするために折り畳んだりする際に、第１摺動壁部２２０の先端と第３摺動壁部３２０の先端とが内壁１２１と外壁１２２とに挟まれた空間ですれ違ったり、第２摺動壁部２３０の先端と第４摺動壁部３３０の先端とが内壁１３１と外壁１３２とに挟まれた空間ですれ違ったりする場合がある。
本実施形態におけるディスプレイボックス１では、第１摺動壁部２２０の先端及び第３摺動壁部３２０の先端は、それぞれ凸状とされているため、すれ違う際に、第１摺動壁部２２０と第３摺動壁部３２０とが互いに当接して摺動を妨げる事態を低減することができる。同様に、第２摺動壁部２３０の先端及び第４摺動壁部３３０の先端は、それぞれ凸状とされているため、すれ違う際に、第２摺動壁部２３０と第４摺動壁部３３０とが互いに当接して摺動を妨げる事態を低減することができる。
【００３２】
また、第１摺動壁部２２０の先端及び第３摺動壁部３２０の先端は、互いの頂点が高さ方向に異なる位置とされているため、すれ違う際に、第１摺動壁部２２０と第３摺動壁部３２０とが互いに当接する事態をより効果的に低減できる。同様に、第２摺動壁部２３０の先端及び第４摺動壁部３３０の先端は、互いの頂点が高さ方向に異なる位置とされているため、すれ違う際に、第２摺動壁部２３０と第４摺動壁部３３０とが互いに当接する事態をより効果的に低減できる。
また、第１部分底面部２４０の先端及び第２部分底面部３４０の先端も、それぞれ凸状とされているため、すれ違う際に、第１部分底面部２４０と第２部分底面部３４０とが互いに当接して摺動を妨げる事態を低減することができる。
【００３３】
以上のように、本実施形態に係るディスプレイボックス１は、上面が開口した箱体として構成され、長手方向の長さを可変とされている。長手方向の長さは、箱体本体部１００の両端に配置されている１対の移動壁部材（第１の移動壁部材２００及び第２の移動壁部材３００）を長手方向に独立して摺動させることで変化させることができる構造となっている。また、ディスプレイボックス１の底面部１１０、第３側壁部２１０及び第４側壁部３１０には、幅方向の中央に折り目が付されている。
【００３４】
そのため、使用状況に応じて、ディスプレイボックス１の容積を変化させたり、非使用状態とするために折り畳んだりすることができる。
即ち、本考案によれば、使用状況に応じたより高い利便性を有するディスプレイボックスを提供することができる。
また、ディスプレイボックス１は、第１摺動壁部２２０の先端及び第３摺動壁部３２０の先端、第２摺動壁部２３０の先端及び第４摺動壁部３３０の先端、第１部分底面部２４０の先端及び第２部分底面部３４０の先端が、それぞれ凸状とされている。
【００３５】
そのため、第１摺動壁部２２０の先端と第３摺動壁部３２０の先端とが内壁１２１と外壁１２２とに挟まれた空間ですれ違ったり、第２摺動壁部２３０の先端と第４摺動壁部３３０の先端とが内壁１３１と外壁１３２とに挟まれた空間ですれ違ったり、第１部分底面部２４０と第２部分底面部３４０とが底面部１１０上ですれ違ったりする場合に、すれ違う部材同士が互いに当接して、部材同士の摺動を妨げる事態を低減することができる。
したがって、ディスプレイボックス１の形態をより容易に変化させることができるため、使用状況に応じたより高い利便性を有するディスプレイボックスを提供することができる。
【００３６】
（変形例１）
第１実施形態において、第１摺動壁部２２０の先端及び第３摺動壁部３２０の先端、第２摺動壁部２３０の先端及び第４摺動壁部３３０の先端、第１部分底面部２４０の先端及び第２部分底面部３４０の先端が、それぞれ凸状とされているものとして説明した。
これに対し、第１摺動壁部２２０の先端及び第３摺動壁部３２０の先端の一方、第２摺動壁部２３０の先端及び第４摺動壁部３３０の先端の一方、第１部分底面部２４０の先端及び第２部分底面部３４０の先端の一方が凸状とされている構成とすることができる。
このような構成の場合にも、すれ違う部材同士が当接し、部材同士の摺動を妨げる事態を低減することができる。
【００３７】
（変形例２）
第１実施形態において、第１部分底面部２４０の先端及び第２部分底面部３４０の先端の頂点は、底面部１１０の幅方向の中央に位置するものとして説明した。
これに対し、第１部分底面部２４０の先端及び第２部分底面部３４０の先端の頂点の位置を、底面部１１０の幅方向においてずらした構成とすることができる。例えば、第１部分底面部２４０の先端を底面部１１０の幅方向の中央よりも第１側壁部１２０寄りに設置し、第２部分底面部３４０の先端を底面部１１０の幅方向の中央よりも第２側壁部１３０寄りに設置することができる。
このような構成とした場合にも、第１部分底面部２４０と第２部分底面部３４０とが摺動時に当接し、摺動が妨げられる事態を低減することができる。
【符号の説明】
【００３８】
１：ディスプレイボックス、１００：箱体本体部、１１０：底面部、１２０：第１側壁部、１２１，１３１：内壁、１２２，１３２：外壁、１２３，１３３：上面部、１２３ａ，１３３ａ：貫通穴、１２４，１３４：下面部、１３０：第２側壁部、２００：第１の移動壁部材、２１０：第３側壁部、２１１，３１１：内壁面、２１２，３１２：外壁面、２１３，２１４，３１３，３１４：爪部、２２０：第１摺動壁部、２２１，２３１，３２１，３３１：係合凸部、２３０：第２摺動壁部、２３２，２３３，３３２，３３３：係合穴、２４０：第１部分底面部、３００：第２の移動壁部材、３１０：第４側壁部、３２０：第３摺動壁部、３３０：第４摺動壁部、３４０：第２部分底面部
【図１】
0003179608.tif 000003
【図２】
0003179608.tif 000004
【図３】
0003179608.tif 000005
【図４】
0003179608.tif 000006
【図５】
0003179608.tif 000007
【図６】
0003179608.tif 000008
【図７】
0003179608.tif 000009
【図８】
0003179608.tif 000010